(57)【要約】［課題］異常の発生時にも動作を継続し、安定した伝送特性を維持することができる光分岐挿入装置を提供する。［解決手段］光分岐挿入装置を、第１の波長選択手段１と、計測手段２と、第２の波長選択手段３を備える構成とする。第１の波長選択手段１は、入力された第１の波長多重信号の各波長の光信号を波長ごとに経路を選択して出力する。計測手段２は、入力された光信号の光パワーを計測する。第２の波長選択手段３は、第１の波長選択手段１に異常が発生した際に、第１の波長選択手段１に代わって、第１の波長多重信号の各波長の光信号を波長ごとに経路を選択して出力する手段を有する。また、第２の波長選択手段３は、第１の波長選択手段１が正常に動作している際に、入力される第２の波長多重信号を所定の波長単位ごとに計測手段２に出力する手段を有する。
2020195737.tif 000002
【特許請求の範囲】
【請求項１】
入力された第１の波長多重信号の各波長の光信号を波長ごとに経路を選択して出力する第１の波長選択手段と、
入力された光信号の光パワーを計測する計測手段と、
前記第１の波長選択手段に異常が発生した際に、前記第１の波長選択手段に代わって、前記第１の波長多重信号の各波長の光信号を波長ごとに経路を選択して出力する手段と、前記第１の波長選択手段が正常に動作している際に、入力される第２の波長多重信号を所定の波長単位ごとに前記計測手段に出力する手段とを有する第２の波長選択手段と
を備えることを特徴とする光分岐挿入装置。
【請求項２】
前記第１の波長選択手段の異常時に、伝送路を介して入力された前記第１の波長多重信号を、前記第２の波長選択手段に出力するスイッチ手段をさらに備えることを特徴とする請求項１に記載の光分岐挿入装置。
【請求項３】
前記計測手段による前記光パワーの計測結果を基に生成されたスペクトラムデータを、伝送路を介して接続された端局装置に送信する送信手段をさらに備えることを特徴とする請求項１または２に記載の光分岐挿入装置。
【請求項４】
前記スペクトラムデータを主信号に用いられていない波長の光信号として前記端局装置に送信する光出力手段をさらに備えることを特徴とする請求項３に記載の光分岐挿入装置。
【請求項５】
前記スペクトラムデータを光パワーの増幅用の励起光源の光を変調し、低周波成分として主信号に重畳して前記端局装置に送信する送信手段をさらに備えることを特徴とする請求項３に記載の光分岐挿入装置。
【請求項６】
前記計測手段による前記光パワーの計測結果を基に、前記第１の波長選択手段における各波長の光信号の透過率を制御することを特徴とする請求項１から５のいずれかに記載の光分岐挿入装置。
【請求項７】
前記第１の波長多重信号とは異なる経路から入力された第３の波長多重信号の各波長の光信号を波長ごとに経路を選択して出力する第３の波長選択手段をさらに備え、
前記第２の波長選択手段は、前記第３の波長選択手段に異常が発生した際に、前記第３の波長選択手段に代わって、前記第３の波長多重信号の各波長の光信号を波長ごとに経路を選択して出力する手段をさらに有することを特徴とする請求項１から６のいずれかに記載の光分岐挿入装置。
【請求項８】
請求項１から７のいずれかに記載の光分岐挿入装置と、
第１の伝送路を介して前記光分岐挿入装置に第１の波長多重信号を送信する第１の端局装置と、
前記光分岐挿入装置から第２の伝送路を介して第４の波長多重信号を受信する第２の端局装置と、
前記光分岐挿入装置から第３の伝送路を介して第５の波長多重信号と受信する第３の端局装置と
を備えることを特徴とする光伝送システム。
【請求項９】
第１の波長選択スイッチにおいて入力された第１の波長多重信号の各波長の光信号を波長ごとに経路を選択して出力し、
前記第１の波長選択スイッチが正常に動作している際に、第２の波長選択スイッチにおいて、第２の波長多重信号を所定の波長単位ごとに分離して計測用信号として出力し、
前記計測用信号の光パワーを計測し、
前記第１の波長選択スイッチに異常が発生した際に、前記第１の波長選択スイッチに代わって、前記第２の波長選択スイッチにおいて、前記第１の波長多重信号の各波長の光信号を波長ごとに経路を選択して出力することを特徴とする光伝送方法。
【請求項１０】
前記第１の波長選択スイッチの異常時に、伝送路を介して入力された前記第１の波長多重信号を、スイッチ素子を介して前記第２の波長選択スイッチに出力することを特徴する請求項９に記載の光伝送方法。
【請求項１１】
前記光パワーの計測結果を基に前記第２の波長多重信号のスペクトラムデータを生成し、
伝送路を介して接続された端局装置に前記スペクトラムデータを送信することを特徴とする請求項９または１０に記載の光伝送方法。
【請求項１２】
前記スペクトラムデータを主信号に用いられていない波長の光信号として前記端局装置に送信する光出力手段をさらに備えることを特徴とする請求項１１に記載の光伝送方法。
【請求項１３】
前記スペクトラムデータを光パワーの増幅用の励起光源の光を変調し、低周波成分として主信号に重畳して前記端局装置に送信する送信手段をさらに備えることを特徴とする請求項１１に記載の光伝送方法。
【請求項１４】
前記光パワーの計測結果を基に、前記第１の波長選択スイッチにおける各波長の光信号の透過率を制御することを特徴とする請求項９から１３のいずれかに記載の光伝送方法。
【請求項１５】
前記第１の波長多重信号とは異なる経路から入力された第３の波長多重信号の各波長の光信号を、第３の波長選択スイッチにおいて波長ごとに経路を選択して出力し、
前記第３の波長選択スイッチに異常が発生した際に、前記第２の波長選択スイッチは、前記第３の波長選択スイッチに代わって、前記第３の波長多重信号の各波長の光信号を波長ごとに経路を選択して出力することを特徴とする請求項９から１４のいずれかに記載の光伝送方法。
【発明の詳細な説明】
【技術分野】
【０００１】
本発明は、光波長多重伝送システムに関するものであり、特に、光分岐挿入機能に関するものである。
【背景技術】
【０００２】
陸上の光通信ネットワークに導入されているＯＡＤＭ（Optical Add/Drop Multiplexing）装置が、光海底ケーブルシステムに適用され始めている。そのため、光海底ケーブルシステムにおいても、ネットワークの多様性に対応することが可能となっている。しかし、光海底ケーブルシステムにおいては、ＯＡＤＭ機能は海底に敷設される分岐装置に設けられる。そのため、ＯＡＤＭ装置は、小型であるとともに高い信頼性を有することが望ましい。また、運用開始後にネットワーク構成を変更する場合に、外部から設定変更を行うことができないと、分岐装置を海底から陸に引き上げ、変更予定のネットワーク構成に合わせて光フィルタを交換するなどの対応が必要となり得る。【０００３】
設置後のネットワーク構成の変更に対応するため、光海底ケーブルシステムにおいても、波長選択スイッチ（ＷＳＳ:Wavelength Selective Switch）を用いた再構成可能な光分岐挿入装置（ＲＯＡＤＭ：Reconfigurable Optical Add/Drop Multiplexing）が用いられている。そのような、波長選択スイッチを用いたＲＯＡＤＭ装置としては、例えば、特許文献１のようなＲＯＡＤＭ装置が開示されている。特許文献１のＲＯＡＤＭ装置は、分岐用と挿入用の波長選択スイッチを備え、光信号の経路の切り替えを行えるように構成されている。また、特許文献２には、冗長部を備えた光分岐挿入装置が開示されている。
【先行技術文献】
【特許文献】
【０００４】
【特許文献１】特開２０１０−９８５４５号公報
【特許文献２】国際公開第２０１７／０２２２３１号
【発明の概要】
【発明が解決しようとする課題】
【０００５】
しかしながら、特許文献１の技術は次のような点で十分ではない。ＲＯＡＤＭ装置を海底に設置した場合には、高い信頼性が要求されるとともに、伝送路等の構成の変化や各機器の経時変化による特性変動が生じたような場合にも安定した伝送特性を維持できることが望ましい。特許文献１のＲＯＡＤＭ装置は、波長選択スイッチに故障が発生した場合や特性変化によっては波長特性が変化した場合に通信の維持や安定した伝送品質を維持できない恐れがある。そのため、特許文献１の技術は、光分岐挿入装置において安定した通信を維持するための技術としては十分ではない。【０００６】
本発明は、上記の課題を解決するため、異常の発生時にも動作を継続し、安定した伝送特性を維持することができる光分岐挿入装置を提供することを目的としている。
【課題を解決するための手段】
【０００７】
上記の課題を解決するため、本発明の光分岐挿入装置は、第１の波長選択手段と、計測手段と、第２の波長選択手段を備えている。第１の波長選択手段は、入力された第１の波長多重信号の各波長の光信号を波長ごとに経路を選択して出力する。計測手段は、入力された光信号の光パワーを計測する。第２の波長選択手段は、第１の波長選択手段に異常が発生した際に、第１の波長選択手段に代わって、第１の波長多重信号の各波長の光信号を波長ごとに経路を選択して出力する手段を有する。また、第２の波長選択手段は、第１の波長選択手段が正常に動作している際に、入力される第２の波長多重信号を所定の波長単位ごとに計測手段に出力する手段を有する。【０００８】
本発明の光伝送方法は、第１の波長選択スイッチにおいて入力された第１の波長多重信号の各波長の光信号を波長ごとに経路を選択して出力する。本発明の光伝送方法は、第１の波長選択スイッチが正常に動作している際に、第２の波長選択スイッチにおいて、第２の波長多重信号を所定の波長単位ごとに分離して計測用信号として出力する。本発明の光伝送方法は、計測用信号の光パワーを計測する。本発明の光伝送方法は、第１の波長選択スイッチに異常が発生した際に、第１の波長選択スイッチに代わって、第２の波長選択スイッチにおいて、第１の波長多重信号の各波長の光信号を波長ごとに経路を選択して出力する。
【発明の効果】
【０００９】
本発明によると、異常の発生時にも動作を継続し、安定した伝送特性を維持することができる。
【図面の簡単な説明】
【００１０】
【図１】本発明の第１の実施形態の構成の概要を示す図である。
【図２】本発明の第２の実施形態の構成の概要を示す図である。
【図３】本発明の第２の実施形態の光分岐挿入装置の構成を示す図である。
【図４】本発明の第２の実施形態の制御回路の構成の例を示す図である。
【図５】本発明の第２の実施形態において、異常が発生した際の状態を模式的に示した図である。
【図６】本発明の第２の実施形態において、異常が発生した際の状態を模式的に示した図である。
【図７】本発明の第３の実施形態の光分岐挿入装置の構成を示す図である。
【図８】本発明の第３の実施形態の制御回路の構成の例を示す図である。
【図９】本発明の第４の実施形態の光分岐挿入装置の構成を示す図である。
【図１０】本発明の第４の実施形態の制御回路の構成の例を示す図である。
【図１１】本発明の光分岐挿入装置の他の構成の例を示す図である。
【発明を実施するための形態】
【００１１】
（第１の実施形態）
本発明の第１の実施形態について図を参照して詳細に説明する。図１は、本実施形態の光分岐挿入装置の構成の概要を示した図である。本実施形態の光分岐挿入装置は、第１の波長選択手段１と、計測手段２と、第２の波長選択手段３を備えている。第１の波長選択手段１は、入力された第１の波長多重信号の各波長の光信号を波長ごとに経路を選択して出力する。計測手段２は、入力された光信号の光パワーを計測する。第２の波長選択手段３は、第１の波長選択手段１に異常が発生した際に、第１の波長選択手段１に代わって、第１の波長多重信号の各波長の光信号を波長ごとに経路を選択して出力する手段を有する。また、第２の波長選択手段３は、第１の波長選択手段１が正常に動作している際に、入力される第２の波長多重信号を所定の波長単位ごとに計測手段２に出力する手段を有する。
【００１２】
本実施形態の光分岐挿入装置の第２の波長選択手段３は、正常動作時は、光パワーの計測を行う計測手段２に所定の波長単位ごとに光信号を出力することでスペクトラムの計測を可能にしている。また、第２の波長選択手段３は、第１の波長選択手段１に異常が発生した際には第１の波長選択手段１の代替の動作を行っている。よって、本実施形態の光分岐挿入装置は、冗長性を有しつつ伝送特性を維持するために必要なデータを取得することができる。そのため、本実施形態の光分岐挿入装置を用いることで、異常の発生時にも動作を継続し、安定した伝送特性を維持することができる。
【００１３】
（第２の実施形態）
本発明の第２の実施形態について図を参照して詳細に説明する。図２は、本実施形態の光伝送システムの構成の概要を示したものである。本実施形態の光伝送システムは、第１のトランク局１０１、第２のトランク局１０２、ブランチ局１０３、および光分岐挿入装置１０を備えている。
【００１４】
本実施形態の光伝送システムは、光海底ケーブルシステムとして構成されている。第１のトランク局１０１、第２のトランク局１０２およびブランチ局１０３は、光海底ケーブルシステムの陸揚局として備えられている。各陸揚局には、端局装置や給電装置等が備えられている。陸揚局は、光ファイバーケーブルを介した光波長多重信号の伝送や光ファイバーケーブル内に備えられている給電線を介した海底中継機器への給電を行う。
【００１５】
光分岐挿入装置１０の構成について説明する。図３は、本実施形態の光分岐挿入装置１０の構成の概要を示したものである。本実施形態の光分岐挿入装置１０は、波長設定を再構成可能なＲＯＡＤＭ（Reconfigurable Optical Add/Drop Multiplexing）装置として構成されている。図３は、第１のトランク局１０１側から第２のトランク局１０２へ波長多重信号を伝送する際のブランチ局１０３への一部の光信号の分岐およびブランチ局から入力された光信号の挿入を行う機能について示したものである。図３は、第１のトランク局１０１から波長Ａと波長Ｂの波長多重信号が光分岐挿入装置１０へ入力され、波長Ａ’と波長Ｂ’の波長多重信号がブランチ局１０３から光分岐挿入装置１０へ入力された場合の例を示している。以下の説明で波長Ａ、波長Ａ’、波長Ｂおよび波長Ｂ’は、それぞれ複数の波長の光信号を含んだグループのことをいう。各グループに含まれる光信号は、１波長のみであってもよい。
【００１６】
本実施形態の光分岐挿入装置１０は、第１の波長選択スイッチ１１と、第２の波長選択スイッチ１２と、第３の波長選択スイッチ１３と、第１のスイッチ１４と、第２のスイッチ１５と、第３のスイッチ１６とを備えている。また、本実施形態の光分岐挿入装置は、第１のカプラ１７と、第２のカプラ１８と、第３のカプラ１９と、第４のカプラ２０と、光検出器２１と、制御回路２２とを備えている。また、光分岐挿入装置１０は、第２のトランク局１０２から第１のトランク局１０１へ波長多重信号を伝送するために同様の構成を反対方向への波長多重信号用に備えている。
【００１７】
第１の波長選択スイッチ１１、第２の波長選択スイッチ１２および第３の波長選択スイッチ１３は、入力された光信号のうち選択された波長の光信号を、波長ごとに選択された経路に出力する。各波長選択スイッチは、例えば、ＭＥＭＳ（Micro Electro Mechanical Systems）を用いて構成されている。各波長選択スイッチは、ＬＣＯＳ（Liquid Crystal On Silicon）を用いて構成されていてもよい。
【００１８】
第１の波長選択スイッチ１１は、第１のトランク局１０１が光分岐挿入装置１０を介して他の陸揚局に光信号を伝送する際に各方路に光信号を振り分ける波長選択スイッチである。また、本実施形態の第１の波長選択スイッチ１１の機能は、第１の実施形態の第１の波長選択手段１に相当する。
【００１９】
第２の波長選択スイッチ１２は、第１の波長選択スイッチ１１および第２の波長選択スイッチ１２の正常時は、光パワーの計測用の光信号の波長を選択して、光検出器２１に出力する。また、第２の波長選択スイッチ１２は、第１の波長選択スイッチ１１または第３の波長選択スイッチ１３に異常が発生した際に、異常が発生した波長選択スイッチの代替の波長選択スイッチとして機能する。また、本実施形態の第２の波長選択スイッチ１２の機能は、第１の実施形態の第２の波長選択手段３に相当する。
【００２０】
第３の波長選択スイッチ１３は、ブランチ局１０３が光分岐挿入装置１０を介して他の陸揚局に光信号を伝送する際に各方路に光信号を振り分ける波長選択スイッチである。
【００２１】
第１のスイッチ１４は、制御回路２２の制御に基づいて、入力された光信号の経路を選択して出力する。第１のスイッチ１４は、入力された信号を第１の波長選択スイッチ１１または第２のスイッチ１５のいずれかに出力するスイッチ素子である。
【００２２】
第１のスイッチ１４は、第１の波長選択スイッチ１１が正常で通常の光信号の伝送が行われているとき、入力された光信号を第１の波長選択スイッチ１１に出力する。また、第１のスイッチ１４は、第１の波長選択スイッチ１１の異常時に、第２の波長選択スイッチ１２が代替の波長選択スイッチとして機能するとき、入力された光信号を第２の波長選択スイッチ１２に接続している第２のスイッチ１５に出力する。
【００２３】
第２のスイッチ１５は、制御回路２２の制御に基づいて、いずれかの経路から入力された光信号を選択して第３の波長選択スイッチ１３に出力するスイッチ素子である。第２のスイッチ１５は、第１のスイッチ１４、第３のスイッチ１６、第２のカプラ１８または第４のカプラ２０のいずれかから入力される光信号を選択して第３の波長選択スイッチ１３に出力する。
【００２４】
第３のスイッチ１６は、入力された光信号を第３の波長選択スイッチ１３または第２のスイッチ１５のいずれかに出力するスイッチ素子である。
【００２５】
第３のスイッチ１６は、第３の波長選択スイッチ１３が正常で通常の光信号の伝送が行われているとき、入力された光信号を第３の波長選択スイッチ１３に出力する。また、第３のスイッチ１６は、第３の波長選択スイッチ１３の異常時に、第２の波長選択スイッチ１２が代替の波長選択スイッチとして機能するとき、入力された光信号を第２の波長選択スイッチ１２に接続している第２のスイッチ１５に出力する。
【００２６】
第１のカプラ１７および第３のカプラ１９は、入力された信号を合波して出力する光カプラである。
【００２７】
第２のカプラ１８および第４のカプラ２０は、入力された信号を合波および分波して出力する光カプラである。
【００２８】
光検出器２１は、入力された信号の光パワーを検出する。光検出器２１は、フォトダイオードを備え、入力された光信号を電気信号に変換する。光検出器２１は、光信号から変換した電流信号を電圧信号に変換し、電圧信号の振幅を検出し光パワーの計測結果とする。光検出器２１は、計測した光パワーのピーク値または平均値を計測結果として制御回路２２に出力する。また、本実施形態の光検出器２１の機能は、第１の実施形態の計測手段２に相当する。
【００２９】
制御回路２２は、各スイッチ素子の制御および光検出器２１から入力される計測結果の処理を行う。制御回路２２は、例えば、各制御用の半導体装置と不揮発性の半導体メモリを用いて構成されている。図４は、本実施形態の制御回路２２の構成の例を示した図である。図４の制御回路２２は、制御部２０１と、スイッチ制御部２０２と、波長選択スイッチ制御部２０３と、計測部２０４を備えている。
【００３０】
制御部２０１は、光分岐挿入装置１０の全般を制御し、各部位の異常の有無等を監視する。また、制御部２０１は、伝送路を介して陸揚局の端局装置等との通信を行う。制御部２０１は、スイッチ制御部２０２および波長選択スイッチ制御部２０３を介して、各スイッチおよび波長選択スイッチを切り替え、光信号の経路を設定する。また、制御部２０１は、計測部２０４において光スペクトラムの計測を行う際に、スイッチ制御部２０２および波長選択スイッチ制御部２０３を介して、各スイッチおよび第２の波長選択スイッチ１２の切り替えを行う。
【００３１】
スイッチ制御部２０２は、第１のスイッチ１４、第２のスイッチ１５および第３のスイッチ１６のスイッチ素子の切り替えを制御する。
【００３２】
波長選択スイッチ制御部２０３は、第１の波長選択スイッチ１１、第２の波長選択スイッチ１２および第３の波長選択スイッチ１３の内部の経路の切り替えを制御する。
【００３３】
制御回路２２は、第１の波長選択スイッチ１１、第２の波長選択スイッチ１２、第３の波長選択スイッチ１３、第１のスイッチ１４、第２のスイッチ１５および第３のスイッチ１６それぞれと図示していない信号線を介して接続されている。
【００３４】
本実施形態の光伝送システムの動作について説明する。始めに、光分岐挿入装置１０が正常に稼動している際の動作について説明する。以下では、波長Ａと波長Ｂの波長多重信号が第１のトランク局１０１から光分岐挿入装置１０に入力され、波長Ａ’と波長Ｂ’がブランチ局から光分岐挿入装置１０に入力されたとして説明する。
【００３５】
第１のトランク局１０１から入力された波長Ａおよび波長Ｂの波長多重信号は、第１のスイッチ１４を介して第１の波長選択スイッチ１１に入力される。第１の波長選択スイッチ１１は、波長Ａの光信号を第１のカプラ１７に送り、波長Ｂの光信号を第３のカプラ１９に送る。
【００３６】
また、ブランチ局１０３から入力された波長Ａ’と波長Ｂ’の波長多重信号は、第３のスイッチ１６を介して第３の波長選択スイッチ１３に送られる。第３の波長選択スイッチ１３は、波長Ａ’の光信号を第３のカプラ１９に送り、波長Ｂ’の光信号を第１のカプラ１７に送る。
【００３７】
第１のカプラ１７は、波長Ａと波長Ｂ’の光信号を受け取ると、２つの波長グループの光信号を合波し、合波した波長多重信号を第２のカプラ１８に送る。第２のカプラ１８は、波長Ａと波長Ｂ’の波長多重信号を受け取ると、全ての波長が出力先の２つの経路の両方に含まれるように分岐し、一方を第２のトランク局１０２への伝送路に出力し、もう一方を第２のスイッチ１５に送る。光分岐挿入装置１０から出力された波長Ａと波長Ｂ’の波長多重信号は、伝送路を介して第２のトランク局１０２に伝送される。
【００３８】
第３のカプラ１９は、波長Ａ’と波長Ｂの波長多重信号を受け取ると、２つの波長グループの光信号を合波し、合波した波長多重信号を第４のカプラ２０に送る。第４のカプラ２０は、波長Ａ’と波長Ｂの波長多重信号を受け取ると、全ての波長が出力先の２つの経路の両方に含まれるように分岐し、一方をブランチ局１０３への伝送路に出力し、もう一方を第２のスイッチ１５に送る。
【００３９】
光分岐挿入装置１０から出力された波長Ａ’と波長Ｂの波長多重信号は、伝送路を介してブランチ局１０３に伝送される。
【００４０】
次に、光検出器２１による光信号の光パワーの計測について説明する。
【００４１】
光信号の光パワーの計測をする際に、制御回路２２のスイッチ制御部２０２は、計測対象となる光信号が第２の波長選択スイッチ１２に送られるように第２のスイッチ１５を切り替える。
【００４２】
波長Ａと波長Ｂ’の波長多重信号の光パワーの計測を行うとき、スイッチ制御部２０２は、第２のスイッチ１５を制御し、第２のカプラ１８から第２のスイッチ１５に送られてくる波長Ａと波長Ｂ’の波長多重信号を第２の波長選択スイッチ１２に出力されるようにする。
【００４３】
波長Ａと波長Ｂ’が第２の波長選択スイッチ１２に入力されている状態になると、制御回路２２の波長選択スイッチ制御部２０３は、第２の波長選択スイッチ１２を制御し、各波長の光信号が順に光検出器２１に出力されるようにする。
【００４４】
光信号が入力されると、光検出器２１は、光パワーの計測を行って計測結果を制御回路２２に送る。光パワーの計測結果が入力されると、制御回路２２の計測部２０４は、第２の波長選択スイッチ１２から光検出器２１に出力されている光信号の波長と、光パワーの計測結果を関連づけて保存する。
【００４５】
全ての波長の光信号の出力と計測が終わると、制御回路２２の計測部２０４は、波長Ａと波長Ｂ’の波長多重信号のスペクトラムデータを生成する。
【００４６】
次に、波長Ａ’と波長Ｂの波長多重信号の光パワーの計測を開始すると、制御回路２２のスイッチ制御部２０２は、第２のスイッチ１５を制御し、第４のカプラ２０から第２のスイッチ１５に送られてくる波長Ａ’と波長Ｂの波長多重信号が第２の波長選択スイッチ１２に出力されるようにする。
【００４７】
波長Ａ’と波長Ｂが第２の波長選択スイッチ１２に入力されている状態になると、制御回路２２の波長選択スイッチ制御部２０３は、第２の波長選択スイッチ１２を制御し、各波長の光信号が順に光検出器２１に出力されるようにする。
【００４８】
光信号が入力されると、光検出器２１は、光パワーの計測を行って計測結果を制御回路２２に送る。光パワーの計測結果が入力されると、制御回路２２の計測部２０４は、光検出器２１に第２の波長選択スイッチ１２から出力されている光信号の波長と、光パワーの計測結果を関連づけて保存する。
【００４９】
全ての波長の光信号の出力と計測が終わると、計測部２０４は、波長Ａ’と波長Ｂの波長多重信号の光スペクトラムを生成する。
【００５０】
入力信号である波長Ａと波長Ｂ、波長Ａ’と波長Ｂ’についても、第１のスイッチ１４または第３のスイッチ１６を切り替えて第２のスイッチ１５を介して第２の波長選択スイッチ１２に送ることで、光パワーの計測とスペクトラムデータの生成を行うことができる。
【００５１】
次に、第１の波長選択スイッチ１１または第３の波長選択スイッチ１３のいずれかに異常が発生した場合の動作について説明する。始めに、第１の波長選択スイッチ１１に異常が発生した場合について説明する。図５は、光分岐挿入装置１０において第１の波長選択スイッチ１１に異常が発生した場合の例を示したものである。
【００５２】
制御回路２２の制御部２０１は、第１の波長選択スイッチ１１の異常を検知すると、スイッチ制御部２０２を介して、第１のスイッチ１４を切り替え、入力された光信号が第２のスイッチ１５に送られるようにする。このとき、第１の波長選択スイッチ１１には、光信号が入力されなくなる。
【００５３】
第１のスイッチ１４を切り替えると、制御回路２２の制御部２０１は、スイッチ制御部２０２を介して、第２のスイッチ１５を切り替え、第１のスイッチ１４から入力される波長Ａと波長Ｂ’の波長多重信号が第２の波長選択スイッチ１２に入力されるようにする。
【００５４】
第１のスイッチ１４および第２のスイッチ１５を切り替えると、制御回路２２の制御部２０１は、波長選択スイッチ制御部２０３を介して、第２の波長選択スイッチ１２を制御し、波長Ａの光信号を第２のカプラ１８に送り、波長Ｂの光信号を第４のカプラ２０に送る状態に設定する。設定が変更されると、第２の波長選択スイッチ１２は、入力された光信号のうち波長Ａの光信号を第２のカプラ１８に送り、波長Ｂの光信号を第４のカプラ２０に送る。
【００５５】
第１のカプラ１７は、第３の波長選択スイッチ１３から波長Ｂ’の光信号を受け取ると、受け取った波長Ｂ’の光信号を第２のカプラ１８に送る。第２のカプラ１８は、第２の波長選択スイッチ１２から波長Ａ、第１のカプラ１７から波長Ｂ’の光信号を受け取ると、２つの波長グループの光信号を合波し、合波した全ての波長が出力先の２つの経路の両方に含まれるように分岐し、一方を第２のトランク局１０２への伝送路に出力し、もう一方を第２のスイッチ１５への経路に送る。
【００５６】
光分岐挿入装置１０から出力された波長Ａと波長Ｂ’の波長多重信号は、伝送路を介して第２のトランク局１０２に伝送される。
【００５７】
第３のカプラ１９は、第３の波長選択スイッチ１３から波長Ａ’の光信号を受け取ると、受け取った波長Ａ’の光信号を第４のカプラ２０に送る。第４のカプラ２０は、第２の波長選択スイッチ１２から波長Ｂ、第３のカプラ１９から波長Ａ’の光信号を受け取ると、２つの波長グループの光信号を合波する。第４のカプラ２０は、合波した全ての波長が出力先の２つの経路の両方に含まれるように分岐し、一方をブランチ局１０３への伝送路に出力し、もう一方を第２のスイッチ１５に送る。
【００５８】
光分岐挿入装置１０から出力された波長Ａ’と波長Ｂの波長多重信号は、伝送路を介してブランチ局１０３に伝送される。
【００５９】
第１の波長選択スイッチ１１の異常発生時のこのような動作により、第１の波長選択スイッチ１１に代わり第２の波長選択スイッチ１２が光信号の分岐を行うことで、光分岐挿入装置１０は、異常の発生前と同様の処理を行うことができる。
【００６０】
次に、第３の波長選択スイッチ１３に異常が発生した場合について説明する。図６は、光分岐挿入装置１０において第３の波長選択スイッチ１３に異常が発生した場合の例を示したものである。
【００６１】
制御回路２２の制御部２０１は、第３の波長選択スイッチ１３の異常を検知すると、スイッチ制御部２０２を介して、第３のスイッチ１６を切り替え、入力された光信号が第２のスイッチ１５に送られるようにする。このとき、第３の波長選択スイッチ１３には、光信号が入力されなくなる。
【００６２】
第３のスイッチ１６を切り替えると、制御回路２２の制御部２０１は、スイッチ制御部２０２を介して、第２のスイッチ１５を切り替え、第３のスイッチ１６から入力される波長Ａ’と波長Ｂ’の波長多重信号が第２の波長選択スイッチ１２に入力されるようにする。
【００６３】
第３のスイッチ１６および第２のスイッチ１５を切り替えると、制御回路２２の制御部２０１は、波長選択スイッチ制御部２０３を介して、第２の波長選択スイッチ１２を制御し、波長Ａ’の光信号を第４のカプラ２０に送り、波長Ｂ’の光信号を第２のカプラ１８に送る状態に設定する。設定が変更されると、第２の波長選択スイッチ１２は、入力された光信号のうち波長Ａ’の光信号を第４のカプラ２０に送り、波長Ｂ’の光信号を第２のカプラ１８に送る。
【００６４】
第１のカプラ１７は、第１の波長選択スイッチ１１から波長Ａの光信号を受け取ると、受け取った波長Ａの光信号を第２のカプラ１８に送る。第２のカプラ１８は、第１のカプラ１７から波長Ａ、第２の波長選択スイッチ１２から波長Ｂ’の波長多重信号を受け取ると、２つの波長グループの光信号を合波する。第２のカプラ１８は、合波された全ての波長が出力先の２つの経路の両方に含まれるように分岐し、一方を第２のトランク局１０２への伝送路に出力し、もう一方を第２のスイッチ１５への経路に送る。
【００６５】
光分岐挿入装置１０から出力された波長Ａと波長Ｂ’の波長多重信号は、伝送路を介して第２のトランク局１０２に伝送される。
【００６６】
第３のカプラ１９は、第１の波長選択スイッチ１１から波長Ｂの光信号を受け取ると、受け取った波長Ｂの光信号を第４のカプラ２０に送る。第４のカプラ２０は、第２の波長選択スイッチ１２から波長Ａ’、第３のカプラ１９から波長Ｂの光信号を受け取ると、２つの波長グループの光信号を合波する。第４のカプラ２０は、合波した全ての波長が出力先の２つの経路の両方に含まれるように分岐し、一方をブランチ局１０３への伝送路に出力し、もう一方を第２のスイッチ１５に送る。
【００６７】
光分岐挿入装置１０から出力された波長Ａ’と波長Ｂの波長多重信号は、伝送路を介してブランチ局１０３に伝送される。
【００６８】
第３の波長選択スイッチ１３の異常発生時のこのような動作により、第３の波長選択スイッチ１３に代わり第２の波長選択スイッチ１２が光信号の分岐を行うことで、光分岐挿入装置１０は、異常の発生前と同様の処理を行うことができる。
【００６９】
本実施形態の光伝送システムの光分岐挿入装置１０は、通常時に光信号の分岐動作を行う第１の波長選択スイッチ１１および第３の波長選択スイッチ１３に加え、予備系の波長選択スイッチとして第２の波長選択スイッチ１２を備えている。第１の波長選択スイッチ１１または第３の波長選択スイッチ１３に異常が発生した際に、異常が発生した波長選択スイッチに代わって第２の波長選択スイッチ１２が光信号を各方路に振り分ける処理を行うことができる。また、本実施形態の光伝送システムの光分岐挿入装置１０は、第２の波長選択スイッチ１２が、出力する波長を順番に変化させて光検出器２１に、計測対象となる波長の光信号を出力している。このように、第２の波長選択スイッチ１２が波長を変化させて光検出器２１に出力することで、光検出器２１が波長を切り出す機能を有していなくても、各波長の光信号の光パワーを計測することができる。よって、本実施形態の光分岐挿入装置１０は、装置構成を大型化することなく波長選択スイッチの冗長化による信頼性の向上と、スペクトラムの計測による伝送品質の維持のためのデータの取得を行うことができる。そのため、本実施形態の光分岐挿入装置１０を用いることで、異常の発生時にも動作を継続し、安定した伝送特性を維持することができる。
【００７０】
（第３の実施形態）
本発明の第３の実施形態について図を参照して詳細に説明する。図７は、本実施形態の光分岐挿入装置３０の構成の概要を示したものである。本実施形態の光分岐挿入装置３０は、波長設定を再構成可能なＲＯＡＤＭ装置として構成されている。本実施形態の光分岐挿入装置３０は、第２の実施形態と同様の光伝送システムに用いることができる。すなわち、第２の実施形態の光伝送システムにおける光分岐挿入装置１０に代えて、本実施形態の光分岐挿入装置３０を用いることができる。
【００７１】
第２の実施形態の光分岐挿入装置１０は、予備系の波長選択スイッチと光パワーの計測機能を備えている。本実施形態の光分岐挿入装置３０は、第２の実施形態と同様の機能に加え、波長選択スイッチの各波長の透過率を制御し、出力するスペクトラムの調整を行うことを特徴とする。
【００７２】
本実施形態の光分岐挿入装置３０は、第１の波長選択スイッチ３１と、第２の波長選択スイッチ３２と、第３の波長選択スイッチ３３と、第１のスイッチ１４と、第２のスイッチ１５と、第３のスイッチ１６とを備えている。また、本実施形態の光分岐挿入装置は、第１のカプラ１７と、第２のカプラ１８と、第３のカプラ１９と、第４のカプラ２０と、光検出器２１と、制御回路３４とを備えている。
【００７３】
本実施形態の第１のスイッチ１４、第２のスイッチ１５、第３のスイッチ１６、第１のカプラ１７、第２のカプラ１８、第３のカプラ１９、第４のカプラ２０および光検出器２１の構成と機能は、第２の実施形態の同名称の部位と同様である。
【００７４】
第１の波長選択スイッチ３１、第２の波長選択スイッチ３２および第３の波長選択スイッチ３３は、第２の実施形態の同名称の部位と同様の機能を有する。また、第１の波長選択スイッチ３１、第２の波長選択スイッチ３２および第３の波長選択スイッチ３３は、制御回路３４の制御に基づいて、各波長の透過率を調整しスペクトラムの整形を行う機能を有する。
【００７５】
制御回路３４は、各スイッチ素子の制御および光検出器２１から入力される計測結果の処理を行う。図８は、本実施形態の制御回路３４の構成の例を示した図である。図８の制御回路３４は、制御部２１１と、スイッチ制御部２１２と、波長選択スイッチ制御部２１３と、計測部２１４と、波形制御部２１５とを備えている。
【００７６】
波長選択スイッチ制御部２１３は、第１の波長選択スイッチ３１、第２の波長選択スイッチ３２および第３の波長選択スイッチ３３の内部の経路の切り替えを制御する。また、波長選択スイッチ制御部２１３は、波形制御部２１５が算出した透過率の補正量の情報を基に、各波長選択スイッチの各波長の透過率を制御し、各波長選択スイッチが出力する各波長の光信号の光パワーを調整する。
【００７７】
波形制御部２１５は、計測部２１４が生成したスペクトラムデータとあらかじめ保存されている基準データとを比較し、各波長選択スイッチにおける透過率の補正量を算出する。波形制御部２１５は、波長グループごとまたは出力先の伝送路ごとの波長多重信号の基準となるスペクトルデータを基準データとしてあらかじめ保存している。基準データは、端局装置から通信監視用の回線を介して光分岐挿入装置３０に送られてもよい。
【００７８】
制御回路３４は、第１の波長選択スイッチ３１、第２の波長選択スイッチ３２、第３の波長選択スイッチ３３、第１のスイッチ１４、第２のスイッチ１５および第３のスイッチ１６のそれぞれと、図示していない信号線を介して接続されている。
【００７９】
本実施形態の光分岐挿入装置３０の動作について説明する。本実施形態の光分岐挿入装置３０における通常時の動作、スペクトラムデータの取得時の動作および波長選択スイッチに異常が発生した際の動作は、第２の実施形態と同様である。そのため、以下では、計測したスペクトラムデータを基に、波長選択スイッチの出力信号のスペクトラムの調整を行う場合の動作について説明する。
【００８０】
計測部２１４がスペクトラムのデータを生成すると、制御回路３４の波形制御部２１５は、生成されたスペクトラムのデータと基準データを比較し、計測データと基準データとの差を示す差分データを生成する。
【００８１】
差分データを生成すると、波形制御部２１５は、第１の波長選択スイッチ３１または第２の波長選択スイッチ３２の波長ごとの透過率の補正量をそれぞれ算出する。
【００８２】
波形制御部２１５が波長選択スイッチの透過率の補正量を算出すると、波長選択スイッチ制御部２１３は、透過率の補正量を反映した透過率となるように第１の波長選択スイッチ３１および第２の波長選択スイッチ３２を設定する。
【００８３】
第１の波長選択スイッチ３１および第２の波長選択スイッチ３２が新たな透過率に基づく設定となると、出力される波長多重信号のスペクトラムが調整された状態で通常時と同様に光信号の分岐や挿入の動作が行われる。
【００８４】
本実施形態の光分岐挿入装置３０は、第２の波長選択スイッチ１２および光検出器２１で計測した出力信号のスペクトラムデータを基に、各波長選択スイッチにおける透過率を制御し、スペクトラムの整形を行っている。そのため、本実施形態の光分岐挿入装置３０は、自装置から出力する波長多重信号のスペクトラムを調整することで、波長多重信号の伝送品質を向上することができる。
【００８５】
（第４の実施形態）
本発明の第４の実施形態について図を参照して詳細に説明する。図９は、本実施形態の光分岐挿入装置４０の構成の概要を示したものである。本実施形態の光分岐挿入装置４０は、波長設定を再構成可能なＲＯＡＤＭ装置として構成されている。本実施形態の光分岐挿入装置４０は、第２の実施形態と同様の光伝送システムに用いることができる。すなわち、第２の実施形態の光伝送システムにおける光分岐挿入装置１０に代えて、本実施形態の光分岐挿入装置４０を用いることができる。
【００８６】
第２の実施形態の光分岐挿入装置１０は、予備系の波長選択スイッチと光パワーの計測する機能を備えている。本実施形態の光分岐挿入装置４０は、第２の実施形態と同様の機能に加え、生成したスペクトラムデータを送信する光信号出力部を有することを特徴とする。
【００８７】
本実施形態の光分岐挿入装置４０は、第１の波長選択スイッチ１１と、第２の波長選択スイッチ４１と、第３の波長選択スイッチ１３と、第１のスイッチ１４と、第２のスイッチ１５と、第３のスイッチ１６とを備えている。また、本実施形態の光分岐挿入装置は、第１のカプラ１７と、第２のカプラ１８と、第３のカプラ１９と、第４のカプラ２０と、光検出器２１と、制御回路４２と、信号出力部４３とを備えている。
【００８８】
本実施形態の第１の波長選択スイッチ１１、第３の波長選択スイッチ１３、第１のスイッチ１４、第２のスイッチ１５、第３のスイッチ１６、第１のカプラ１７、第２のカプラ１８、第３のカプラ１９、第４のカプラ２０および光検出器２１の構成と機能は、第２の実施形態と同様である。
【００８９】
第２の波長選択スイッチ４１は、第２の実施形態の第２の波長選択スイッチ１２と同様の機能に加え、信号出力部４３から入力された信号を第２のカプラ１８または第４のカプラ２０に出力する。
【００９０】
制御回路４２は、第２の実施形態と同様の機能に加え、信号出力部４３を制御して、スペクトラムデータを第２のトランク局１０２またはブランチ局１０３に送信する機能を有する。図１０は、本実施形態の制御回路４２の構成の例を示した図である。図１０の制御回路４２は、制御部２２１と、スイッチ制御部２２２と、波長選択スイッチ制御部２２３と、計測部２２４と、信号生成部２２５とを備えている。
【００９１】
本実施形態のスイッチ制御部２２２、波長選択スイッチ制御部２２３および計測部２２４の構成と機能は、第２の実施形態の同名称の部位と同様である。
【００９２】
制御部２２１は、第２の実施形態の制御部２０１と同様の機能に加え、信号生成部２２５を介して、信号出力部４３からスペクトラムデータを端局装置に送信する。
【００９３】
信号生成部２２５は、計測部２１４が計測したスペクトラムデータを基に送信用のデータを生成し、信号出力部４３に出力する。
【００９４】
信号出力部４３は、制御回路４２の制御に基づいてスペクトラムデータの送信用の光信号を生成し、第２の波長選択スイッチ４１に出力する。信号出力部４３は、連続波を出力する光源と変調器を備えている。光源から出力される光の波長は、光伝送システムの波長設計に基づいて、主信号の伝送に使用されていない波長が割り当てられる。信号出力部４３は、制御回路４２から入力される送信用のデータを基に変調を施した光信号を生成し、第２の波長選択スイッチ４１に出力する。
【００９５】
本実施形態の光分岐挿入装置４０の動作について説明する。本実施形態の光分岐挿入装置４０における通常時の動作、スペクトラムデータの取得時の動作および波長選択スイッチに異常が発生した際の動作は、第２の実施形態と同様である。そのため、以下では、計測したスペクトラムデータを第２の波長選択スイッチ４１を介して、端局装置に送信する動作についてのみ説明する。
【００９６】
制御回路４２の計測部２２４がスペクトラムのデータを生成すると、信号生成部２２５は、スペクトラムのデータを伝送路での送信する際のデータに変換し、信号出力部４３に出力する。送信用のスペクトラムのデータを受け取ると、信号出力部４３は、受け取ったデータに基づく位相変調信号を生成し、第２の波長選択スイッチ４１に出力する。
【００９７】
また、制御回路４２の波長選択スイッチ制御部２２３は、第２の波長選択スイッチ４１を制御して、信号出力部４３が出力した信号が、送信先に対応する第２のカプラ１８または第４のカプラ２０に出力されるようにする。
【００９８】
第２の波長選択スイッチ４１は、入力された光信号を制御回路４２の制御に基づいて第２のカプラ１８または第４のカプラ２０に出力する。第２のカプラ１８または第４のカプラ２０に入力された光信号は、他の波長多重信号と合波されて各伝送路に出力され端局装置に伝送される。
【００９９】
本実施形態の光分岐挿入装置４０は、光信号の伝送先の端局装置に、第２の波長選択スイッチ４１を介してスペクトラムデータ等を送信する信号出力部４３を備えている。予備系の波長選択スイッチおよび光パワーの計測用として備えられている第２の波長選択スイッチ４１を用いて、スペクトラムデータの生成および送信を行うことで、データ送信に必要な装置構成を簡略化することができる。
【０１００】
図１１は、第２の実施形態の光分岐挿入装置の他の構成の例を、光分岐挿入装置５０として示したものである。図１１の光分岐挿入装置５０は、第２の実施形態と同様の構成の光分岐挿入装置において、各波長選択スイッチの後段に、第４のスイッチ５１、第５のスイッチ５２および第６のスイッチ５３をさらに備えている。図１１のような構成の光分岐挿入装置５０も、第２の実施形態の光分岐挿入装置１０と同様の機能を得ることができる。
【０１０１】
第３の実施形態の光分岐挿入装置３０は、波長選択スイッチが出力する波長多重信号のスペクトラムを調整する機能を有し、第４の実施形態の光分岐挿入装置４０は、生成したスペクトラムデータを光信号として送信する機能を有している。そのような構成に代えて、光分岐挿入装置を第３の実施形態と第４の実施形態の光分岐挿入装置がそれぞれ有している機能の両方を併せて有する構成としてもよい。
【０１０２】
第２乃至第４の実施形態において計測した結果に基づくスペクトラムデータは、光分岐挿入装置内や別に設置されている光アンプの利得等化器の制御に用いられてもよい。また、第２の波長選択スイッチを利得等化器として用いて、波長選択スイッチの各ポートの通過損失を制御することで、主信号帯域のスペクトラム形状を制御してもよい。
【０１０３】
第２乃至第４の実施形態において、光分岐挿入装置をトランク局間の双方向の波長多重信号の伝送に対応する構成としたとき、予備系である第２の波長選択スイッチは、それぞれの方向に１個ずつ配置される。予備系である第２の波長選択スイッチの前後に配置したスイッチ素子で入出力を切り替えることで、１個の波長選択スイッチで両方向に対応するように構成されていてもよい。
【０１０４】
上記の実施形態の一部又は全部は、以下の付記のようにも記載されうるが、以下には限られない。
【０１０５】
［付記１］
入力された第１の波長多重信号の各波長の光信号を波長ごとに経路を選択して出力する第１の波長選択手段と、
入力された光信号の光パワーを計測する計測手段と、
前記第１の波長選択手段に異常が発生した際に、前記第１の波長選択手段に代わって、前記第１の波長多重信号の各波長の光信号を波長ごとに経路を選択して出力する手段と、前記第１の波長選択手段が正常に動作している際に、入力される第２の波長多重信号を所定の波長単位ごとに前記計測手段に出力する手段とを有する第２の波長選択手段と
を備えることを特徴とする光分岐挿入装置。
【０１０６】
［付記２］
前記第１の波長選択手段の異常時に、伝送路を介して入力された前記第１の波長多重信号を、前記第２の波長選択手段に出力するスイッチ手段をさらに備えることを特徴とする付記１に記載の光分岐挿入装置。
【０１０７】
［付記３］
前記計測手段による前記光パワーの計測結果を基に生成されたスペクトラムデータを、伝送路を介して接続された端局装置に送信する送信手段をさらに備えることを特徴とする付記１または２に記載の光分岐挿入装置。
【０１０８】
［付記４］
前記スペクトラムデータを主信号に用いられていない波長の光信号として前記端局装置に送信する光出力手段をさらに備えることを特徴とする付記３に記載の光分岐挿入装置。
【０１０９】
［付記５］
前記スペクトラムデータを光パワーの増幅用の励起光源の光を変調し、低周波成分として主信号に重畳して前記端局装置に送信する送信手段をさらに備えることを特徴とする付記３に記載の光分岐挿入装置。
【０１１０】
［付記６］
前記計測手段による前記光パワーの計測結果を基に、前記第１の波長選択手段における各波長の光信号の透過率を制御することを特徴とする付記１から５いずれかに記載の光分岐挿入装置。
【０１１１】
［付記７］
前記第１の波長多重信号とは異なる経路から入力された第３の波長多重信号の各波長の光信号を波長ごとに経路を選択して出力する第３の波長選択手段をさらに備え、
前記第２の波長選択手段は、前記第３の波長選択手段に異常が発生した際に、前記第３の波長選択手段に代わって、前記第３の波長多重信号の各波長の光信号を波長ごとに経路を選択して出力する手段をさらに有することを特徴とする付記１から６いずれかに記載の光分岐挿入装置。
【０１１２】
［付記８］
付記１から７いずれかに記載の光分岐挿入装置と、
第１の伝送路を介して前記光分岐挿入装置に第１の波長多重信号を送信する第１の端局装置と、
前記光分岐挿入装置から第２の伝送路を介して第４の波長多重信号を受信する第２の端局装置と、
前記光分岐挿入装置から第３の伝送路を介して第５の波長多重信号と受信する第３の端局装置と
を備えることを特徴とする光伝送システム。
【０１１３】
［付記９］
第１の波長選択スイッチにおいて入力された第１の波長多重信号の各波長の光信号を波長ごとに経路を選択して出力し、
前記第１の波長選択スイッチが正常に動作している際に、第２の波長選択スイッチにおいて、第２の波長多重信号を所定の波長単位ごとに分離して計測用信号として出力し、
前記計測用信号の光パワーを計測し、
前記第１の波長選択スイッチに異常が発生した際に、前記第１の波長選択スイッチに代わって、前記第２の波長選択スイッチにおいて、前記第１の波長多重信号の各波長の光信号を波長ごとに経路を選択して出力することを特徴とする光伝送方法。
【０１１４】
［付記１０］
前記第１の波長選択スイッチの異常時に、伝送路を介して入力された前記第１の波長多重信号を、スイッチ素子を介して前記第２の波長選択スイッチに出力することを特徴する付記９に記載の光伝送方法。
【０１１５】
［付記１１］
前記光パワーの計測結果を基に前記第２の波長多重信号のスペクトラムデータを生成し、
伝送路を介して接続された端局装置に前記スペクトラムデータを送信することを特徴とする付記９または１０に記載の光伝送方法。
【０１１６】
［付記１２］
前記スペクトラムデータを主信号に用いられていない波長の光信号として前記端局装置に送信する光出力手段をさらに備えることを特徴とする付記１１に記載の光伝送方法。
【０１１７】
［付記１３］
前記スペクトラムデータを光パワーの増幅用の励起光源の光を変調し、低周波成分として主信号に重畳して前記端局装置に送信する送信手段をさらに備えることを特徴とする付記１１に記載の光伝送方法。
【０１１８】
［付記１４］
前記光パワーの計測結果を基に、前記第１の波長選択スイッチにおける各波長の光信号の透過率を制御することを特徴とする付記９から１３いずれかに記載の光伝送方法。
【０１１９】
［付記１５］
前記第１の波長多重信号とは異なる経路から入力された第３の波長多重信号の各波長の光信号を、第３の波長選択スイッチにおいて波長ごとに経路を選択して出力し、
前記第３の波長選択スイッチに異常が発生した際に、前記第２の波長選択スイッチは、前記第３の波長選択スイッチに代わって、前記第３の波長多重信号の各波長の光信号を波長ごとに経路を選択して出力することを特徴とする付記９から１４いずれかに記載の光伝送方法。
【０１２０】
以上、実施形態を参照して本発明を説明したが、本発明は上記の実施形態に限定されない。本発明の構成や詳細には、本発明のスコープ内で当業者が理解し得る様々な変更をすることができる。
【０１２１】
この出願は、２０１９年３月２５日に出願された日本出願特願２０１９−０５６４３３を基礎とする優先権を主張し、その開示の全てをここに取り込む。
【符号の説明】
【０１２２】
１    第１の波長選択手段
２    計測手段
３    第２の波長選択手段
１０    光分岐挿入装置
１１    第１の波長選択スイッチ
１２    第２の波長選択スイッチ
１３    第３の波長選択スイッチ
１４    第１のスイッチ
１５    第２のスイッチ
１６    第３のスイッチ
１７    第１のカプラ
１８    第２のカプラ
１９    第３のカプラ
２０    第４のカプラ
２１    光検出器
２２    制御回路
３１    第１の波長選択スイッチ
３２    第２の波長選択スイッチ
３３    第３の波長選択スイッチ
３４    制御回路
４１    第２の波長選択スイッチ
４２    制御回路
４３    信号出力部
５１    第４のスイッチ
５２    第５のスイッチ
５３    第６のスイッチ
１０１    第１のトランク局
１０２    第２のトランク局
１０３    ブランチ局
２０１    制御部
２０２    スイッチ制御部
２０３    波長選択スイッチ制御部
２０４    計測部
２１１    制御部
２１２    スイッチ制御部
２１３    波長選択スイッチ制御部
２１４    計測部
２１５    波形制御部
２２１    制御部
２２２    スイッチ制御部
２２３    波長選択スイッチ制御部
２２４    計測部
２２５    信号生成部
【図１】
2020195737.tif 000003
【図２】
2020195737.tif 000004
【図３】
2020195737.tif 000005
【図４】
2020195737.tif 000006
【図５】
2020195737.tif 000007
【図６】
2020195737.tif 000008
【図７】
2020195737.tif 000009
【図８】
2020195737.tif 000010
【図９】
2020195737.tif 000011
【図１０】
2020195737.tif 000012
【図１１】
2020195737.tif 000013
【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
入力された第１の波長多重信号の各波長の光信号を波長ごとに経路を選択して出力する第１の波長選択手段と、
入力された光信号の光パワーを計測する計測手段と、
前記第１の波長選択手段に異常が発生した際に、前記第１の波長選択手段に代わって、前記第１の波長多重信号の各波長の光信号を波長ごとに経路を選択して出力する手段と、前記第１の波長選択手段が正常に動作している際に、入力される第２の波長多重信号を所定の波長単位ごとに前記計測手段に出力する手段とを有する第２の波長選択手段と
を備えることを特徴とする光分岐挿入装置。
【請求項２】
前記第１の波長選択手段の異常時に、伝送路を介して入力された前記第１の波長多重信号を、前記第２の波長選択手段に出力するスイッチ手段をさらに備えることを特徴とする請求項１に記載の光分岐挿入装置。
【請求項３】
前記計測手段による前記光パワーの計測結果を基に生成されたスペクトラムデータを、伝送路を介して接続された端局装置に送信する送信手段をさらに備えることを特徴とする請求項１または２に記載の光分岐挿入装置。
【請求項４】
前記スペクトラムデータを主信号に用いられていない波長の光信号として前記端局装置に送信する光出力手段をさらに備えることを特徴とする請求項３に記載の光分岐挿入装置。
【請求項５】
前記スペクトラムデータを光パワーの増幅用の励起光源の光を変調し、低周波成分として主信号に重畳して前記端局装置に送信する送信手段をさらに備えることを特徴とする請求項３に記載の光分岐挿入装置。
【請求項６】
前記計測手段による前記光パワーの計測結果を基に、前記第１の波長選択手段における各波長の光信号の透過率を制御することを特徴とする請求項１から５のいずれかに記載の光分岐挿入装置。
【請求項７】
前記第１の波長多重信号とは異なる経路から入力された第３の波長多重信号の各波長の光信号を波長ごとに経路を選択して出力する第３の波長選択手段をさらに備え、
前記第２の波長選択手段は、前記第３の波長選択手段に異常が発生した際に、前記第３の波長選択手段に代わって、前記第３の波長多重信号の各波長の光信号を波長ごとに経路を選択して出力する手段をさらに有することを特徴とする請求項１から６のいずれかに記載の光分岐挿入装置。
【請求項８】
請求項１から７のいずれかに記載の光分岐挿入装置と、
第１の伝送路を介して前記光分岐挿入装置に第１の波長多重信号を送信する第１の端局装置と、
前記光分岐挿入装置から第２の伝送路を介して第４の波長多重信号を受信する第２の端局装置と、
前記光分岐挿入装置から第３の伝送路を介して第５の波長多重信号と受信する第３の端局装置と
を備えることを特徴とする光伝送システム。
【請求項９】
第１の波長選択スイッチにおいて入力された第１の波長多重信号の各波長の光信号を波長ごとに経路を選択して出力し、
前記第１の波長選択スイッチが正常に動作している際に、第２の波長選択スイッチにおいて、第２の波長多重信号を所定の波長単位ごとに分離して計測用信号として出力し、
前記計測用信号の光パワーを計測し、
前記第１の波長選択スイッチに異常が発生した際に、前記第１の波長選択スイッチに代わって、前記第２の波長選択スイッチにおいて、前記第１の波長多重信号の各波長の光信号を波長ごとに経路を選択して出力することを特徴とする光伝送方法。
【請求項１０】
前記第１の波長選択スイッチの異常時に、伝送路を介して入力された前記第１の波長多重信号を、スイッチ素子を介して前記第２の波長選択スイッチに出力することを特徴する請求項９に記載の光伝送方法。
【国際調査報告】
2020195737.tif 000014
2020195737.tif 000015
2020195737.tif 000016
2020195737.tif 000017